【手続補正書】
【提出日】令和2年6月11日(2020.6.11)
【手続補正１】
【補正対象書類名】特許請求の範囲
【補正対象項目名】全文
【補正方法】変更
【補正の内容】
【特許請求の範囲】
【請求項１】
第１の周波数帯域で無線通信可能な通信手段と第２の周波数帯域で無線通信可能な通信手段とを有する第１の電子機器と、
前記第１の周波数帯域で無線通信可能な通信手段と前記第２の周波数帯域で無線通信可能な通信手段とを有する第２の電子機器と、
第３の電子機器と、を具備するシステムであって、
前記第３の電子機器は、第１の指示を前記第１の電子機器と前記第２の電子機器の一方の機器へ送信し、
前記第１の電子機器と前記第２の電子機器の一方の機器は、前記第１の指示を受信し、第１のテストを実行し、
第１のテストは、前記第１の周波数帯域で第１のテスト信号を前記第１の電子機器と前記第２の電子機器の他方の機器へ送信することを具備し、
前記第１の電子機器と前記第２の電子機器の他方の機器は、前記第１のテスト信号を受信し、前記第１の周波数帯域で第１の応答信号を前記第１の電子機器と前記第２の電子機器の一方の機器へ送信し、
前記第１の応答信号は、前記第１のテスト信号の受信の成功又は失敗を示し、
前記第１の電子機器と前記第２の電子機器の一方の機器は、前記第１の応答信号を受信し、前記第１の応答信号を前記第３の電子機器へ送信する、システム。
【請求項２】
前記第３の電子機器は、前記第１の応答信号を受信し、前記第１の応答信号が前記第１のテスト信号の受信の失敗を示す場合、第２の指示を前記第１の電子機器と前記第２の電子機器の一方の機器へ送信し、
前記第１の電子機器と前記第２の電子機器の一方の機器は、前記第２の指示を受信し、第２のテストを実行し、
前記第２のテストは、前記第２の周波数帯域で第２のテスト信号を前記第１の電子機器と前記第２の電子機器の他方の機器へ送信することを具備し、
前記第１の電子機器と前記第２の電子機器の他方の機器は、前記第２のテスト信号を受信し、前記第２の周波数帯域で第２の応答信号を前記第１の電子機器と前記第２の電子機器の一方の機器へ送信し、
前記第２の応答信号は、前記第２のテスト信号の受信の成功又は失敗を示し、
前記第１の電子機器と前記第２の電子機器の一方の機器は、前記第２の応答信号を受信し、前記第２の応答信号を前記第３の電子機器へ送信する、請求項１記載のシステム。
【請求項３】
前記第１の周波数帯域で無線通信可能な通信手段と前記第２の周波数帯域で無線通信可能な通信手段とを有する第４の電子機器を更に具備し、
前記第３の電子機器は、第３の指示を前記第１の電子機器と前記第２の電子機器の一方の機器へ送信し、
前記第１の電子機器と前記第２の電子機器の一方の機器は、前記第３の指示を受信し、第３のテストを実行し、
前記第３のテストは、前記第１の周波数帯域で第３のテスト信号を第４の電子機器へ送信することを具備し、
前記第４の電子機器は、前記第３のテスト信号を受信し、前記第１の周波数帯域で第３の応答信号を前記第１の電子機器と前記第２の電子機器の一方の機器へ送信し、
前記第３の応答信号は、前記第３のテスト信号の受信の成功又は失敗を示し、
前記第１の電子機器と前記第２の電子機器の一方の機器は、前記第３の応答信号を受信し、前記第３の応答信号を前記第３の電子機器へ送信する、請求項１記載のシステム。
【請求項４】
前記第３の電子機器は、前記第３の応答信号を受信し、前記第３の応答信号が前記第３のテスト信号の受信の失敗を示す場合、第４の指示を前記第１の電子機器と前記第２の電子機器の一方の機器へ送信し、
前記第１の電子機器と前記第２の電子機器の一方の機器は、前記第４の指示を受信し、第４のテストを実行し、
前記第４のテストは、前記第２の周波数帯域で第４のテスト信号を前記第１の電子機器と前記第２の電子機器の他方の機器へ送信することを具備し、
前記第１の電子機器と前記第２の電子機器の他方の機器は、前記第４のテスト信号を受信し、前記第２の周波数帯域で第４の応答信号を前記第１の電子機器と前記第２の電子機器の一方の機器へ送信し、
前記第４の応答信号は、前記第４のテスト信号の受信の成功又は失敗を示し、
前記第１の電子機器と前記第２の電子機器の一方の機器は、前記第４の応答信号を受信し、前記第４の応答信号を前記第３の電子機器へ送信する、請求項３記載のシステム。
【請求項５】
前記第３の電子機器は、前記第１のテストの内容の更新指示を前記第１の電子機器と前記第２の電子機器の一方の機器へ送信し、
前記第１の電子機器と前記第２の電子機器の一方の機器は、前記更新指示を受信し、前記第１のテストの内容を前記更新指示に基づいて更新する請求項１記載のシステム。
【請求項６】
前記第１のテストの内容を前記第３の電子機器へ送信する第５の電子機器を更に具備し、
前記第３の電子機器は、前記第１のテストの内容を受信し、受信した前記第１のテストの内容に基づいて、前記第１のテストの内容の更新指示を前記第１の電子機器と前記第２の電子機器の一方の機器へ送信する請求項１記載のシステム。
【請求項７】
前記第１の周波数帯域は２．４ＧＨｚ帯域であり、前記第２の周波数帯域は８６８ＭＨｚ帯域である請求項１記載のシステム。
【請求項８】
前記第１の電子機器及び前記第２の電子機器の各々は、充電池を更に具備する請求項１記載のシステム。
【請求項９】
前記第１の電子機器及び前記第２の電子機器の各々は、前記充電池の充電状況に応じた態様で点灯する点灯手段を具備する請求項８記載のシステム。
【請求項１０】
前記第１の応答信号を前記第１の電子機器と前記第２の電子機器の一方の機器から受信し、前記第１の応答信号をサーバにアップロードする第６の電子機器を更に具備する請求項１記載のシステム。
【請求項１１】
前記第３の電子機器は、前記第１の応答信号をサーバにアップロードする請求項１０記載のシステム。
【請求項１２】
前記第１の電子機器及び前記第２の電子機器の少なくとも一方は、
前記第１のテストが実行されている間は第１の態様で点灯し、前記第１のテストの実行が終了すると第２の態様で点灯する点灯手段を具備する請求項１記載のシステム。
【請求項１３】
前記第１の電子機器及び前記第２の電子機器の少なくとも一方は、
前記第１のテストが実行されている間は第１の態様で点灯し、前記第１の応答信号が前記第１のテスト信号の受信の成功を示す場合、第２の態様で点灯し、前記第１の応答信号が前記第１のテスト信号の受信の失敗を示す場合、第３の態様で点灯する点灯手段を具備する請求項１記載のシステム。
【請求項１４】
第１の周波数帯域及び第２の周波数帯域で無線通信可能な通信手段を有する電子機器であって、
第１の指示を制御機器から受信した場合、テストを実行し、
前記テストは、前記第１の周波数帯域でテスト信号を他の電子機器へ送信することと、前記第１の周波数帯域で前記他の電子機器から応答信号を受信することと、前記応答信号を前記制御機器へ送信することと、を具備し、
前記応答信号は、前記テスト信号の受信の成功又は失敗を示し、
第２の指示を前記制御機器から受信すると、前記第１の周波数帯域で前記他の電子機器から前記テスト信号を受信し、前記第１の周波数帯域で前記応答信号を前記他の電子機器へ送信する電子機器。
【請求項１５】
第１の周波数帯域及び第２の周波数帯域で無線通信可能な通信手段を有する第１の電子機器と、
前記第１の周波数帯域及び前記第２の周波数帯域で無線通信可能な通信手段を有する第２の電子機器と、
第３の電子機器と、を具備するシステムにおけるテスト方法であって、
前記第３の電子機器は、指示を前記第１の電子機器と前記第２の電子機器の一方の機器へ送信し、
前記第１の電子機器と前記第２の電子機器の一方の機器は、テストを実行し、
前記テストは、前記指示を受信した後、前記第１の周波数帯域でテスト信号を前記第１の電子機器と前記第２の電子機器の他方の機器へ送信することを具備し、
前記第１の電子機器と前記第２の電子機器の他方の機器は、前記テスト信号を受信した後、前記第１の周波数帯域で応答信号を前記第１の電子機器と前記第２の電子機器の一方の機器へ送信し、
前記応答信号は、前記テスト信号の受信の成功又は失敗を示し、
前記第１の電子機器と前記第２の電子機器の一方の機器は、前記応答信号を受信した後、前記応答信号を前記第３の電子機器へ送信する、方法。
【手続補正２】
【補正対象書類名】明細書
【補正対象項目名】０００７
【補正方法】変更
【補正の内容】
【０００７】
実施形態によれば、第１の電子機器と、第２の電子機器と、第３の電子機器とを具備するシステムであって、第１の電子機器は、第１の周波数帯域で無線通信可能な通信手段と第２の周波数帯域で無線通信可能な通信手段とを有する。前記第２の電子機器は、前記第１の周波数帯域で無線通信可能な通信手段と前記第２の周波数帯域で無線通信可能な通信手段とを有する。前記第３の電子機器は、第１の指示を前記第１の電子機器と前記第２の電子機器の一方の機器へ送信し、前記第１の電子機器と前記第２の電子機器の一方の機器は、前記第１の指示を受信し、第１のテストを実行し、第１のテストは、前記第１の周波数帯域で第１のテスト信号を前記第１の電子機器と前記第２の電子機器の他方の機器へ送信することを具備し、前記第１の電子機器と前記第２の電子機器の他方の機器は、前記第１のテスト信号を受信し、前記第１の周波数帯域で第１の応答信号を前記第１の電子機器と前記第２の電子機器の一方の機器へ送信し、前記第１の応答信号は、前記第１のテスト信号の受信の成功又は失敗を示し、前記第１の電子機器と前記第２の電子機器の一方の機器は、前記第１の応答信号を受信し、前記第１の応答信号を前記第３の電子機器へ送信する。